(57)【特許請求の範囲】
【請求項１】
上階と下階とに亘って階段に配置されたレール手段と、該レール手段により移動自在に支持された搬送体と、該搬送体を前記レール手段に沿って移動させる駆動手段と、を備えて人や物を昇降させる階段昇降機において、
前記レール手段が、所定間隙を開けた状態に一対配置され、
前記搬送体は、進行方向の前方部分及び後方部分が渡し板により開口可能に構成されると共に、これら一対のレール手段の間に配置されてその両側をこれらのレール手段に支持され、
前記各渡し板は、それぞれ、下端縁が前記搬送体の床面部分に回動自在に枢支された第１の板部材と、下端縁が該第１の板部材の上端縁に回動自在に枢支された第２の板部材と、からなり、
前記各第２の板部材は、その上端縁が前記搬送体の両側板に設けられた切り欠き部に案内されて移動軌跡が規定されると共に、モータにより巻上げられるワイヤの先端に連結され、
前記第１及び第２の板部材は、前記モータにより前記ワイヤを巻上げることによって、前記搬送体の前方部分及び後方部分に立設されてこれらの部分を閉塞する閉塞位置と、前記ワイヤを弛めることに基づき自重により折りたたまれるように配置されて前記搬送体の床面部分と階段の床面部分との間にスロープを形成すると共に前記搬送体を開口する開放位置と、を選択的に取り、
前記搬送体は、少なくとも上階又は下階に停止されている状態で前記前方部分及び前記後方部分がスロープを形成する前記各渡し板の開放位置により開口されることに基づき、前記階段に通ずる歩行者用通路を形成する、
ことを特徴とする階段昇降機。
【請求項２】
前記一対のレール手段のそれぞれが、連続した直線状の単一部材からなり、前記搬送体の両側面外側には、前記一対のレール手段の上面を転動することによって該搬送体を略々水平姿勢に保った状態で移動自在に支持する案内ローラがそれぞれ２個ずつ回転自在に支持され、
前記搬送体の一方の側面外側には、前記一対のレール手段の内の一方のレール手段を迂回して該レール手段の背面側にまで延設されるアームが支持され、かつ、
前記搬送体の一方の側面外側及び前記アームには、前記一方のレール手段の両方の側面を転動するサイドローラがそれぞれ回転自在に支持された、
ことを特徴とする請求項１に記載の階段昇降機。
【請求項３】
前記一対のレール手段の上方部に、階段を利用する歩行者のための手すり部をそれぞれ配置し、かつ前記搬送体の両側に手すりを配置した、
ことを特徴とする請求項１又は２に記載の階段昇降機。
【発明の詳細な説明】
【０００１】
【発明の属する技術分野】
本発明は、人や物を乗せて階段を昇降する階段昇降機に係り、特に駅等の公共施設に用いて好適な階段昇降機に関する。
【０００２】
【従来の技術】
従来、人や物を乗せて階段を昇降する階段昇降機が、駅等の公共施設に設置されている。
【０００３】
このような階段昇降機としては、エスカレーターのように常に稼働させておくタイプの他に、例えば身体の不自由な人が車いすに乗ったままで利用するもののように必要な時だけ一時的に稼働させるタイプのものがある。そして、後者のタイプの階段昇降機は、身体の不自由な人が公共施設を利用する上で必要不可欠のものであって近年大きな注目を浴びており、例えば、特開平６−１５６９４８号公報等に開示されている。
【０００４】
図８は、従来の斜行型階段昇降機の全体構造の一例を示す図であるが、図示の斜行型階段昇降機２００は、階段の側壁２０１に沿うように配置されたガイドレール２０２と、ガイドレール２０２に移動自在に支持されたかご２０３と、これらのガイドレール２０２及びかご２０３の双方に連結されて駆動力を発生させる牽引車２０４と、を備えており、牽引車２０４からの駆動力によってかご２０３をガイドレール２０２に沿って移動させるようになっている。
【０００５】
そして、このかご２０３は、牽引車２０４及びガイドレール２０２から取り外せると共に、下面には不図示のキャスターが取り付けられていて手押し移動可能に構成されており、階段昇降機を使用しない場合には、かご２０３をガイドレール２０２から取り外すと共に移動させて別の保管場所に保管できるように構成されていた（以下、“従来例１”とする）。なお、図９は、かご２０３の詳細構造を示す図であり、図中の符号２０５は渡し板を示し、符号２０６は遮蔽部材を示す。これらの渡し板２０５及び遮蔽部材２０６はいずれも開閉自在に構成されており、渡し板２０５は、乗降の際にスロープを形成して乗降性を向上させ、遮蔽部材２０６は、かご２０３が稼働されている際にかご２０３を閉塞するようになっている。
【０００６】
また、別の階段昇降機（以下、“従来例２”とする）としては、上記従来例１とほぼ同様の構造であるが、その階段昇降機を使用する場合はもちろん使用しない場合にもかごをガイドレールに連結しておくタイプのものがあった。
【０００７】
【発明が解決しようとする課題】
ところで、上述した従来例１の階段昇降機の場合、それを使用するには、係りの者（例えば駅員）がかご２０３をその保管場所から取り出して来てガイドレール２０２に装着しなければならず、必要なときに階段昇降機を直に使用できないという問題があった。また、使用時にガイドレール２０２に装着したかご２０３は、使用後にはガイドレール２０２から取り外して再び元の場所に戻しておく必要があり、作業が煩雑であるという問題があった。
【０００８】
これに対して、上記従来例２のものでは、かごがガイドレールに常時連結されているために上述のような問題は発生しないものの、階段を上り下りする歩行者の通行の邪魔になってしまうという問題があった。
【０００９】
なお、このような問題を軽減するものとして、ガイドレールに連結した状態のかごを折りたたんでコンパクトにできるタイプのものもあるが、階段昇降機を使用する際にはかごの組み立てが必要であり、上記従来例１と同様に、階段昇降機を必要なときに直ちに使用することができず、かごの組み立て等の作業が煩雑になるという問題があった。
【００１０】
一方、従来例１の階段昇降機２００におけるかご２０３は、その片側のみがガイドレール２０２に支持された片持ち構造となっているため、自重によって変形しないように床部材を厚くしたりして剛性の高い構造にする必要がある。その結果、かご２０３が重くかつ高価になるという問題があった。また、他方のガイドレール２０２も、剛性の高い構造にする必要があって、重く大型になり、大がかりな取り付け工事が必要となって工事費が高くなるという問題があった。
【００１１】
そこで、本発明は、階段歩行者の通行の邪魔になることを低減する階段昇降機を提供することを目的とするものである。
【００１２】
また、本発明は、必要なときに直ちに使用できる階段昇降機を提供することを目的とするものである。
【００１３】
【課題を解決するための手段】
請求項１に係る発明は、上階（２）と下階（３）とに亘って階段（４）に配置されたレール手段（５Ｒ、５Ｌ）と、該レール手段（５Ｒ、５Ｌ）により移動自在に支持された搬送体（６）と、該搬送体（６）を前記レール手段（５Ｒ、５Ｌ）に沿って移動させる駆動手段（７）と、を備えて人や物を昇降させる階段昇降機（１）において、
前記レール手段（５Ｒ，５Ｌ）が、所定間隙を開けた状態に一対配置され、
前記搬送体（６）は、進行方向の前方部分及び後方部分が渡し板（８，９）により開口可能に構成されると共に、これら一対のレール手段の間に配置されてその両側をこれらのレール手段（５Ｒ，５Ｌ）に支持され、
前記各渡し板（８，９）は、それぞれ、下端縁が前記搬送体（６）の床面部分に回動自在に枢支された第１の板部材（８Ｄ，９Ｄ）と、下端縁が該第１の板部材の上端縁に回動自在に枢支された第２の板部材（８Ｕ，９Ｕ）と、からなり、
前記各第２の板部材（８Ｕ，９Ｕ）は、その上端縁（Ｃ）が前記搬送体（６）の両側板（６１Ｒ，６１Ｌ）に設けられた切り欠き部（１６）に案内されて移動軌跡が規定されると共に、モータにより巻上げられるワイヤの先端に連結され、
前記第１及び第２の板部材（８Ｄ，９Ｄ，８Ｕ，９Ｕ）は、前記モータ（１０１）により前記ワイヤ（１０３）を巻上げることによって、前記搬送体（６）の前方部分及び後方部分に立設されてこれらの部分を閉塞する閉塞位置（８Ａ，９Ａ）と、前記ワイヤ（１０３）を弛めることに基づき自重により折りたたまれるように配置されて前記搬送体の床面部分と階段（４）の床面部分との間にスロープを形成すると共に前記搬送体を開口する開放位置と、を選択的に取り、
前記搬送体（６）は、少なくとも上階（２）又は下階（３）に停止されている状態で前記前方部分及び前記後方部分がスロープを形成する前記各渡し板（８，9）の開放位置により開口されることに基づき、前記階段（４）に通ずる歩行者用通路を形成する、
ことを特徴とする階段昇降機にある。
【００１５】
請求項２に係る発明は、前記一対のレール手段（５Ｒ，５Ｌ）のそれぞれが、連続した直線状の単一部材からなり、
前記搬送体（６）の両側面外側には、前記一対のレール手段（５Ｒ，５Ｌ）の上面を転動することによって該搬送体（６）を略々水平姿勢に保った状態で移動自在に支持する案内ローラ（１１）がそれぞれ２個ずつ回転自在に支持され、
前記搬送体（６）の一方の側面外側には、前記一対のレール手段の内の一方のレール手段（５Ｒ）を迂回して該レール手段（５Ｒ）の背面側にまで延設されるアーム（６９）が支持され、かつ、
前記搬送体（６）の一方の側面外側及び前記アーム（６９）には、前記一方のレール手段（５Ｒ）の両方の側面を転動するサイドローラ（１４，１５）がそれぞれ回転自在に支持された、
ことを特徴とする請求項１に記載の階段昇降機にある（図１、図３、図６及び図７参照）。
【００１６】
請求項３に係る発明は、前記一対のレール手段（５Ｒ，５Ｌ）の上方部に、階段（４）を利用する歩行者のための手すり部（１２Ｒ，１２Ｌ）をそれぞれ配置し、かつ前記搬送体（６）の両側に手すり（６３）を配置した、
ことを特徴とする請求項１又は２に記載の階段昇降機にある（図１及び図２参照）。
【００１７】
［作用］
以上の構成に基づき、階段昇降機（１）を使用しない場合には、前記搬送体（６）を上階（２）又は下階（３）に停止させておき、その前方部分及び後方部分を開口させることによって階段（４）に通ずる歩行者用通路を形成しておく。
【００１８】
階段昇降機（１）を使用する場合には、その利用者（例えば車いす利用者）が搬送体（６）に乗り込んだ状態で駆動手段（７）を起動させる。これにより、該搬送体（６）は前記レール手段（５Ｒ，５Ｌ）に沿って移動し、階段（４）を昇降できる。
【００１９】
なお、カッコ内の符号は、図面を参照するものであるが、何ら構成を限定するものではない。
【００２０】
【発明の効果】
請求項１に係る発明によると、階段昇降機を使用しない場合には、階段を利用する通常の歩行者は、その搬送体内を通って階段を上り下りすることができ、搬送体があまり通行の邪魔とならない。また、階段昇降機を使用しない場合においても搬送体は組み立てられた状態でレール手段に連結されているため、階段昇降機を使用するために従来のように搬送体を組み立てたりレール手段に連結したりする必要がなく、階段昇降機を必要なときに直ちに使用できる。さらに、搬送体は一対のレール手段によって両持ち状態で支持されているため、片持ち構造にする場合に比べて搬送体の剛性を低くでき、軽く安価にできる。またさらに、レール手段は、従来に比べて剛性を低くかつ小型にでき、それに伴って取り付け工事を簡素化できる。
【００２１】
また、スロープを形成する場合に渡し板の占有面積を小さくでき、かつ、専用の遮蔽部材を設けなくとも搬送体を十分に閉塞することができる。
そして、第２の板部材の上端縁が、巻上げ用のワイヤ先端連結部と共に切欠き部に案内されて移動軌跡が規定される。また、渡し板の開放位置にあっては、ワイヤが弛んだ状態にあって、第１及び第２の板部材は、自重によりスロープを形成する。
【００２２】
一方、従来の階段昇降機の場合、搬送体はレール手段によって片持ち状態や偏心状態で支持されていたため、レール手段は、剛性を高めるべく複数の部材を組み合わせて構成する必要があった。しかし、本発明によれば、搬送体は一対のレール手段によって両持ち状態で支持されるため、請求項２に係る発明のようにレール手段を連続した直線状の単一部材にて簡単な構造で構成することができる。これにより、レール手段を軽量化でき、コストの低減を図ることができ、さらには、外観を良好なものにすることができる。また、前記搬送体は、一方のレール手段の両側面を転動するサイドローラによって支持されているため、移動時の搬送体の振れを低減することができる。
【００２３】
請求項３に係る発明によると、階段を歩行用として利用する使用形態が圧倒的に多いが、該階段の利用者が階段の手すり部及び搬送体の両側の手すりにより、通常の階段と略々同じような使い勝手にて使用することができ、かつこの際、レール手段は手すり部の下方部に配置されているため、通行の邪魔になりにくい。
【００２４】
【発明の実施の形態】
本発明に係る階段昇降機は、図１及び図２に符号１で示すように、階段４に付設された一対のレール手段５Ｒ，５Ｌを備えており、これら一対のレール手段５Ｒ，５Ｌは、所定間隙を開けた状態で上階２と下階３とに亘って配置されている。また、これら一対のレール手段５Ｒ，５Ｌの間には、搬送体６が、その両側をこれらのレール手段５Ｒ，５Ｌにそれぞれ支持されることに基づき移動自在に配置されており、該搬送体６が駆動手段７によって駆動されレール手段５Ｒ，５Ｌに沿って移動されることに基づき、人や物が階段４を昇降できるように構成されている。
【００２５】
ところで、前記搬送体６は、その進行方向の前方部分６Ｆ及び後方部分６Ｂが開口可能に構成されており、少なくとも上階２又は下階３に停止されている状態で前記前方部分６Ｆ及び前記後方部分６Ｂが開口されることに基づき、前記階段４に通ずる歩行者用通路を形成するようになっている。なお、前記搬送体６は、上階２又は下階３に停止されている状態においてその床面にほぼ接触し、段差が少ない方が好ましい。
【００２６】
この場合、前記搬送体６は、その進行方向の前方部分６Ｆ及び後方部分６Ｂが常に開口されているよりも、図３及び図４に示すように、乗降性の向上等を図るための一対の渡し板８，９をその進行方向の前方部分６Ｆ及び後方部分６Ｂに開閉自在にそれぞれ設け、上階２又は下階３に停止されている状態ではこれらの渡し板８，９が倒されて開口され（図４参照）、階段４を昇降している状態ではこれらの渡し板８，９が立設されて開口部が閉塞されるようにすると良い（図３参照）。また、これらの渡し板８，９は、開閉手段１０によって自動的に開閉させると良い。さらに、渡し板９は、図５に詳示するように、下端縁が前記搬送体６の床面部分６０に回動自在に枢支された第１の板部材９Ｄと、下端縁が該第１の板部材９Ｄの上端縁に回動自在に枢支された第２の板部材９Ｕと、によって構成し、その第２の板部材９Ｕは、前記開閉手段１０に連結されて、前記第１の板部材９Ｄと共に昇降されるようにすれば良い。また、他方の渡し板８も同様の構造にすると良い。すなわち、渡し板８を、図４に示すように、下端縁が前記搬送体６の床面部分６０に回動自在に枢支された第１の板部材８Ｄと、下端縁が該第１の板部材８Ｄの上端縁に回動自在に枢支された第２の板部材８Ｕと、によって構成し、その第２の板部材８Ｕは、前記開閉手段１０に連結されて、前記第１の板部材８Ｄと共に昇降されるようにすれば良い。さらに、これらの第１及び第２の板部材８Ｄ，８Ｕ及び９Ｄ，９Ｕは、前記開閉手段１０によって駆動されることにより、前記搬送体６の前方部分６Ｆ及び後方部分６Ｂに立設されてこれらの部分を閉塞する閉塞位置８Ａ，９Ａと、折りたたまれるように配置されて前記搬送体６の床面部分６０と階段４の床面部分との間にスロープを形成すると共に前記搬送体６を開口する開放位置８Ｂ，９Ｂと、を選択的に取るように構成すれば良い。
【００２７】
ところで、このような構造の渡し板８，９を設ける場合、搬送体６が上階２又は下階３に停止されている状態では渡し板８，９は倒されて開放位置８Ｂ，９Ｂを取る必要がある。したがって、渡し板８，９が階段４等と干渉しないように、レール手段５Ｒ，５Ｌの階段４に対する位置関係や、渡し板８，９の寸法を調整する必要がある。
【００２８】
また、本発明に係る階段昇降機１は、幅の狭い階段ならばその全幅を使用して配置しても良く、幅の広い階段ならばその一部の幅を使用して配置しても良い。さらに、幅の広い階段の場合、階段４の側壁４ａに近接するように配置しても（すなわち、図２に例示するように、前記一対のレール手段５Ｒ，５Ｌのうちの一方のレール手段５Ｒを側壁４ａに近接して沿うように配置すると共に、他方のレール手段５Ｌを階段４の中央部側に配置しても）、昇降機自体を側壁４ａから離して階段の中央部側に配置しても良い。
【００２９】
一方、前記搬送体６の前記レール手段５Ｒ，５Ｌへの支持は、該搬送体６に設けた案内ローラによって行うと良い。例えば図３及び図６に示すように、前記搬送体６の両側面外側（すなわち、前記レール手段５Ｒ，５Ｌに対向する側の面）に、回転自在に支持された案内ローラ１１をそれぞれ２個ずつ配置し、これらの案内ローラ１１を介して前記搬送体６の前記レール手段５Ｒ，５Ｌへの支持を行うと良い。なお、これらの案内ローラ１１は前記一対のレール手段５Ｒ，５Ｌの上面を転動させれば良く、前記搬送体６を略々水平姿勢に保った状態で移動自在に支持すれば良い。
【００３０】
また、前記レール手段５Ｒ，５Ｌのそれぞれは、連続した直線状からなる凹凸の無い単一部材で形成すると良い。このような部材によるレール手段５Ｒ，５Ｌは、踊り場部を有さず一定の傾斜で比較的短い階段（図１参照）にはもちろんのこと、踊り場部を有する比較的長い階段にも適用でき、踊り場部を有さない階段の場合にはレール手段５Ｒ，５Ｌと階段とをほぼ同じ傾斜に形成すると良い。なお、踊り場部を有する比較的長い階段の場合、上述のような直線状のレール手段ではなく、図８に示した従来例１のように緩やかに湾曲させたレール手段を用いても良い。いずれの場合にも、搬送体６が略々水平姿勢を保った状態で階段を昇降できるように、案内ローラ１１の配置位置やレール手段５Ｒ，５Ｌの配置位置を設定すると良い。
【００３１】
さらに、上述した駆動手段７は、駆動力を発生させる電気モータ等の駆動源（図１の符号７０参照）と、該駆動源と前記搬送体６とを連結して該駆動源からの駆動力を前記搬送体６に伝達する駆動力伝達部材（図１の符号７１，７２参照）と、によって構成すると良い。ここで、駆動源は、移動側の搬送体６に配置しても良く、固定側の階段４やレール手段５Ｒ，５Ｌに配置しても良い。また、駆動力伝達部材としては、ラック・アンド・ピニオン等の歯車部材や、チェーンやワイヤ等の可撓性帯状部材等を挙げることができる。
【００３２】
さらに、前記一対のレール手段５Ｒ，５Ｌの上方部に、階段を利用する歩行者のための手すり部１２Ｒ，１２Ｌをそれぞれ配置すると良い。
【００３３】
以下、本発明に係る階段昇降機の一例について、図１乃至図７に沿って説明する。
【００３４】
階段昇降機１は、図１及び図２に示すように、上階２と下階３とに亘って階段４に配置された一対のガイド装置１３Ｒ，１３Ｌと、これらのガイド装置１３Ｒ，１３Ｌの間に移動自在に支持されたかご（搬送体）６と、このかご６をガイド装置１３Ｒ，１３Ｌに沿って移動させる駆動装置（駆動手段）７と、を備えている。
【００３５】
まず、かご６の構造について図１乃至図７に沿って説明する。
【００３６】
かご６は、人や物を搭載するための略長方形状をした底板６０と（図２参照）、底板６０の両側縁にそれぞれ立設された一対の側板６１Ｒ，６１Ｌと、を備えており、これらの底板６０及び側板６１Ｒ，６１Ｌによって断面コ字状に形成されている。
【００３７】
また、各側板６１Ｒ，６１Ｌの外面（すなわち、ガイド装置１３Ｒ，１３Ｌに対向する側の面）には、図３及び図６に示すように、水平軸を回転軸とする案内ローラ１１がそれぞれ２個ずつ回転自在に支持されている。これらの２個の案内ローラ１１は、かご６が水平姿勢にある状態で階段４の傾斜と同じ傾斜となるように配置されている。
【００３８】
さらに、図４に示すように、側板６１Ｒ，６１Ｌの前後両端においては柱状部材６２，６２がそれぞれ上方に突設されており、前後の柱状部材６２，６２には手すり６３が横架されている。
【００３９】
またさらに、側壁４ａに近接する方の側板６１Ｒの中央部上縁にはブラケット６４が取り付けられており、該ブラケット６４には２つの電磁ブレーキ付きモータ１０１，１０１が取り付けられている。これらのモータ１０１，１０１には、ＡＣ１００Ｖ（６０Ｈｚ）で駆動される４０Ｗのものを用いている。そして、この側板６１Ｒには６個のプーリ１０２ａ，１０２ａ，１０２ｂ，１０２ｂ，１０２ｃ，１０２ｃが回転自在に支持されている。そのうちの２つ（符号１０２ａ，１０２ａ参照）は、モータ１０１，１０１から上方に突出された出力軸１０１ａ，１０１ａに固設されて水平面内で回転するものであり、他の２つ（符号１０２ｂ，１０２ｂ参照）は、出力軸１０１ａ，１０１ａの外側（モータ１０１，１０１の両側）にそれぞれ取り付けられて鉛直面内で回転するものであり、残りの２つ（符号１０２ｃ，１０２ｃ参照）は、上述した柱状部材６２，６２の外面に取り付けられて鉛直面内で回転するものである。これらのプーリ１０２ａ，…には、一端がプーリ１０１の外周に固定されたワイヤ１０３が順次巻き掛けられていて、他端は、後述するように上側板８Ｕ，９Ｕの上端縁に連結されている。
【００４０】
なお、これらのモータ１０１，１０１やプーリ１０２ａ，…や側板６１Ｒ，６１Ｌはカバー６８に覆われていて、外部からは見えないように工夫されている。
【００４１】
また、階段側壁側の側板６１Ｒ（すなわち、かご６の一方の側面外側）には、図７に詳示するように、前記一対のガイドレール（レール手段）５Ｒ，５Ｌのうちの一方のガイドレール５Ｒ（ガイド装置１３Ｒ）を迂回して側壁４ａに沿って該ガイドレール５Ｒの背面側にまで延設（湾曲）されるアーム６９が支持されている（詳細は後述）。
【００４２】
さらに、各側板６１Ｒ，６１Ｌの外面（すなわち、ガイド装置１３Ｒ，１３Ｌに対向する側の面）には、図３及び図６に示すように、該外面に平行な軸（正確には、ガイドレール５Ｒ，５Ｌの上面に直角な方向の軸）を回転軸とするサイドローラ１４がガイドレール５Ｒ，５Ｌに対向する位置に回転自在に支持されている。このサイドローラ１４は、側壁４ａに近接する方の側板６１Ｒには２個配置されており（図３参照）、他方の側板６１Ｌには１個配置されている（図６参照）。また、上述したアーム６９には、図７に示すように、前記ガイドレール５Ｒに対向する側にサイドローラ１５が回転自在に支持されている。そして、側板６１Ｌに配置されたサイドローラ１４はガイドレール５Ｌの側面を転動し、側版６１Ｒ及びアーム６９に配置されたサイドローラ１４，１５は、ガイドレール５Ｒの両方の側面を転動するようになっている。
【００４３】
さらに、側板６１Ｒ，６１Ｌの前端縁及び後端縁にはそれぞれ鉛直方向に切り欠き部１６，１６が形成されており（図５参照）、次に述べる渡し板８，９の移動軌跡を規定するようになっている。
【００４４】
またさらに、これら一対の側板６１Ｒ，６１Ｌ及び底板６０によって、かご６の前方部分６Ｆ及び後方部分６Ｂにはそれぞれ開口部が形成されるが、これらの開口部には、渡し板８，９がそれぞれ開閉自在に取り付けられている。この渡し板９は、図５に詳示するように、下側板（第１の板部材）９Ｄと上側板（第２の板部材）９Ｕとによって構成されており、下側板９Ｄの下端縁は搬送体６の底板（床面部分）６０の端縁部に回動自在に枢支され、下側板９Ｄの上端縁には上側板９Ｕの下端縁が回動自在に枢着されている。また、上側板９Ｕの上端縁の両側からは水平に軸部Ｃが突出されており、該軸部Ｃは前記切り欠き部１６に嵌挿されていて、該上縁部の移動軌跡が規定されるようになっている。さらに、この上側板９Ｕの上端縁両端部には上述したようにワイヤ１０３の一端が固設されている。なお、他方の渡し板８も同様の構造となっている。
【００４５】
次に、ガイド装置１３Ｒ，１３Ｌについて図１及び図２等に沿って説明する。
【００４６】
上述した一対のガイド装置１３Ｒ，１３Ｌの内の一方のガイド装置１３Ｒは、階段４の側壁４ａに近接した位置に該側壁４ａに沿うように配置されており、もう一方のガイド装置１３Ｌは、側壁４ａから所定距離離れた位置（階段４の中央部側）に配置されている。すなわち、これらのガイド装置１３Ｒ，１３Ｌは所定間隙を開けた状態に対向するように配置されている。
【００４７】
そして、両方のガイド装置１３Ｒ，１３Ｌの内側（他方のガイド装置に対向する側）の所定の高さには、直線状でかつ階段４の傾斜と同じ傾斜のガイドレール（レール手段）５Ｒ，５Ｌが上階２から下階３までに亘ってそれぞれ形成されている。このガイドレール５Ｒ，５Ｌの上面及び両側面は、凹凸の無い平滑な面に加工されており、その上面を上述した案内ローラ１１が転動するようにかご６が載置されている。これらのガイドレール５Ｒ，５Ｌ及び案内ローラ１１はいずれも、上述したように階段と同じ傾斜で配置されているため、案内ローラ１１を介してガイドレール５Ｒ，５Ｌに支持されたかご６は、水平姿勢を維持したまま階段を昇降することとなる。また、このガイドレール５Ｒ，５Ｌは、かご６が下階位置にある場合にその底板６０が下階３の床面にほぼ接触し、かつ、その状態で上階側の渡し板８を倒しても階段４に干渉しない位置に形成されている。
【００４８】
また、図７に示すように、ガイドレール５Ｒの一方の側面には上述したサイドローラ（側板６１Ｒに支持された方のサイドローラ）１４が転動し、ガイドレール５Ｒの他方の側面にはサイドローラ（アーム６９に支持された方のサイドローラ）１５が転動し、さらに図６に示すように、他方のガイドレール５Ｌの側面には上述したサイドローラ（側板６１Ｌに支持された方のサイドローラ）１４が転動が転動するようになっており、これらによって、かご６の重心位置と牽引位置（アーム６９の位置）とのズレに起因するかご６の振れを抑えるようになっている。
【００４９】
さらに、各ガイド装置１３Ｒ，１３Ｌの上部（すなわち、各ガイドレール５Ｒ，５Ｌの上方）には手すり部１２Ｒ，１２Ｌが上階２から下階３までに亘って取り付けられている。
【００５０】
さらに、側壁側のガイド装置１３Ｒにおける側壁４ａに対向する側には、図１に示すように、駆動源としてのメインモータ７０や、駆動力伝達部材を構成する一対のスプロケット７１，７１及びかご昇降用チェーン７２や、電源供給用のケーブル１８等が配置されている。
【００５１】
このうちのスプロケット７１，７１は、階段４の側壁に沿うように上階側及び下階側にそれぞれ１つずつ回転自在に配置されていて、無端状のかご昇降用チェーン７２は、それらのスプロケット７１，７１に巻き掛けることによってガイドレール５Ｒとほぼ等しい傾斜角にてガイドレール５Ｒの下方に配置されている。また、上階側のスプロケット７１は、その近傍に配置されたメインモータ７０が連結されることに基づき回転駆動されるようになっている。そして、上述したチェーン７２には、上述した側板６１Ｒからのアーム６９の先端部が連結されていて（図７参照）、メインモータ７０からスプロケット７１を介してチェーン７２に伝えられた駆動力がアーム６９を介してかご６に伝達されるようになっている。
【００５２】
さらに、ガイド装置１３Ｒの裏側には、図７に詳示するように、上側が開口された断面コ字状の部材（以下、“ケーブルガイド”とする）１９が上階２と下階３とに亘って取り付けられており、このケーブルガイド１９の内部には電源供給用のケーブル１８が収納されている。そして、この電源供給用のケーブル１８の一端は上階側にて不図示の電源に接続され、他端は、図１に示すように折り返されてアーム６９に接続され、電磁ブレーキ付きモータ１０１，１０１等を駆動するための電源をかご６に供給するようになっている。
【００５３】
また、ガイドレール５Ｒにおける側壁４ａに対向する側には、上階側と下階側とにそれぞれ接触式のリミットスイッチ２０Ｕ，２０Ｄが取り付けられており、アーム６９が移動してきてリミットスイッチ２０Ｕ，２０Ｄをオンにすると、かご６の移動を自動的に停止させるようになっている。
【００５４】
さらに、このガイド装置１３Ｒには不図示のコントロールボックスが接続されており、このコントロールボックスを使って係りの者（例えば駅員）が階段昇降機１を操作するようになっている。
【００５５】
次に、本実施の形態の作用について説明する。
【００５６】
階段昇降機１を使用しない場合には、底板６０が下階３の床面にほぼ接触する位置でかご６を停止させておく。このとき、上述したコントロールボックスを使って電磁ブレーキ付きモータ１０１，１０１を駆動してワイヤ１０３を弛めておく。これにより、渡し板８，９の上側板８Ｕ，９Ｕ及び下側板８Ｄ，９Ｄは自重により下降して開放位置８Ｂ，９Ｂを取ってかご６の前方部分６Ｆ及び後方部分６Ｂが開口され、かご６は、階段４に通ずる歩行者用通路を形成することとなる。
【００５７】
そして、この階段昇降機１を使用する場合には、予め上階側渡し板８を閉塞位置８Ａとしておき、利用者（例えば車いす利用者）がかご６に乗り込んだ状態で下階側渡し板９を閉塞位置９Ａとする。これらの渡し板８，９を閉塞位置８Ａ、９Ａとするためには、ワイヤ１０３を引き上げるように電磁ブレーキ付きモータ１０１，１０１を駆動する。これにより、上側板８Ｕ，９Ｕの上端縁が切り欠き部１６に沿って上昇すると共に下側板８Ｄ，９Ｄは下端縁を中心に回動し、上下側板８Ｕ，９Ｕ，８Ｄ，９Ｄは、前記搬送体６の前方部分６Ｆ及び後方部分６Ｂに立設されて閉塞位置８Ａ，９Ａを取ることとなる。
【００５８】
その後、上述したコントロールボックスを使ってメインモータ７０を起動させる。これにより、上階側のスプロケット７１が回転されてチェーン７２が駆動され、その駆動力はアーム６９を介してかご６に伝達され、かご６は上階２に到達する。
【００５９】
かご６が上階２に到達すると、上階側のリミットスイッチ２０Ｕがオンとなってメインモータ７０の駆動が停止され、一方の電磁ブレーキ付きモータ１０１が駆動されて、下階側渡し板９は閉塞位置９Ａのままで上階側渡し板８のみが開放位置８Ｂを取る。これにより、階段昇降機の利用者はかご６から上階２に下りることができる。
【００６０】
その後、再びコントロールボックスを操作してかご６の中を下階位置にまで移動して停止させ、渡し板８，９を開放位置８Ｂ，９Ｂにしておく。
【００６１】
次に、本実施の形態の効果について説明する。
【００６２】
本実施の形態によれば、搬送体６は、少なくとも上階２又は下階３に停止されている状態で前記前方部分６Ｆ及び前記後方部分６Ｂが開口されることに基づき、前記階段４に通ずる歩行者用通路を形成するようになっている。したがって、階段昇降機を使用せずに階段を利用する通常の歩行者は、その搬送体６の中を通って階段４を上り下りすることができ、階段を利用する歩行者にとって搬送体６があまり通行の邪魔とならない。
【００６３】
また、本実施の形態によれば、搬送体６は、階段昇降機の使用時及び不使用時を問わず常時組み立てられた状態でレール手段５Ｒ，５Ｌに連結されている。したがって、階段昇降機を使用する場合において、従来装置のように搬送体６を組み立てたりレール手段５Ｒ，５Ｌに連結したりする必要がなく、煩雑な使用準備作業を不要として、階段昇降機を必要なときに直ちに使用できる。
【００６４】
さらに、本実施の形態によれば、搬送体６は一対のレール手段５Ｒ，５Ｌによって両持ち状態で支持されている。したがって、従来装置のように片持ち構造にする場合に比べて搬送体の剛性を低くでき、軽く安価にできる。
【００６５】
また、搬送体を片持ち状態や偏心状態で支持する場合には、レール手段は、その剛性を高めるために複数の部材を組み合わせたりして構成する必要があった。しかし、本実施の形態によれば、搬送体６は一対のレール手段５Ｒ，５Ｌによって両持ち状態で支持されているため、１本のレール手段５Ｒ又は５Ｌは、搬送体６の半分の重量を支持しさえすれば良く、従来に比べて剛性を低くかつ小型にでき、それに伴って取り付け工事を簡素化できる。そして、１本のレール手段５Ｒ又は５Ｌを、本実施の形態のように、連続した直線状の単一部材にて簡単な構造で構成することができる。これにより、レール手段を軽量化でき、コストの低減を図ることができ、さらには、外観を良好なものにすることができる。
【００６６】
さらに、本実施の形態によれば、渡し板８，９は、それぞれ、互いに回動自在となるように支持された２枚の板部材によって構成されており、スロープを形成する場合には２枚の板部材を重ねて幅狭の状態で使用し、搬送体６を閉塞する場合には２枚の板部材を重ねないで幅広の状態で使用する。したがって、スロープを形成する場合に渡し板８，９の占有面積を小さくでき、かつ、専用の遮蔽部材を設けなくとも搬送体６を十分に閉塞することができる。
【００６７】
さらに、レール手段５Ｒ，５Ｌの上方部には手すり部１２Ｒ，１２Ｌが配置されているため、階段を利用する歩行者に便利となる。なお、本実施の形態に係る階段昇降機を付設した階段では、該昇降機を使用する時間よりも使用しない時間の方が長い（すなわち、階段を歩行用として利用する使用形態が圧倒的に多い）ため、前記手すり部１２Ｒ，１２Ｌの利用度が高い。また、レール手段５Ｒ，５Ｌは、手すり部１２Ｒ，１２Ｌの下方に配置されているため、通行の邪魔になりにくい。
【００６８】
さらに、本実施の形態によれば、メインモータ７０等の駆動装置７は、搬送体６の側ではなく階段４の側に配置されているため、該搬送体６の構造を簡単にかつコンパクトにでき、搬送体６が歩行者（階段を利用する歩行者）の邪魔になることを少なく出来る。
【００６９】
またさらに、搬送体６は、サイドローラ１４，１５にてレール手段５Ｒを挟み込むようにして支持されているため、移動時の搬送体の振れを低減することができる。
【図面の簡単な説明】
【図１】本発明に係る階段昇降機の全体構造を示す側面図。
【図２】本発明に係る階段昇降機の全体構造を示す平面図。
【図３】階段昇降機のかごの全体構造を示す側面図。
【図４】下階に停止している状態のかごを示す側面図。
【図５】階段昇降機のかごの詳細構造を示す側面図。
【図６】階段昇降機のかごの全体構造を示す側面図。
【図７】アームの取り付け部分の詳細構造を示す図。
【図８】従来の斜行型階段昇降機の全体構造の一例を示す図。
【図９】図８に示す階段昇降機のかごの詳細構造を示す図。
【符号の説明】
１          階段昇降機
２          上階
３          下階
４          階段
５Ｒ，５Ｌ  ガイドレール（レール手段）
６          かご（搬送体）
７          駆動装置（駆動手段）
８，９      渡し板
８Ａ，９Ａ      閉塞位置
８Ｂ，９Ｂ      開放位置
８Ｄ，９Ｄ      下側板（第１の板部材）
８Ｕ，９Ｕ      上側板（第２の板部材）
１０        開閉手段
１１        案内ローラ
１２Ｒ，１２Ｌ    手すり部
１４        サイドローラ
１５        サイドローラ
７０        メインモータ（駆動源）
７１        スプロケット（駆動力伝達部材）
７２        チェーン（駆動力伝達部材）
６９        アーム
【図１】
0003556143.tif 000002
【図２】
0003556143.tif 000003
【図３】
0003556143.tif 000004
【図４】
0003556143.tif 000005
【図５】
0003556143.tif 000006
【図６】
0003556143.tif 000007
【図７】
0003556143.tif 000008
【図８】
0003556143.tif 000009
【図９】
0003556143.tif 000010